(57)【要約】      （修正有）【課題】煩雑な手順、作業を無くし、嵌着状態が緩んでしまわなくする。【解決手段】プレートナット本体１０のプレート部１３には、ナット部１２の軸芯から等距離の円周上に１２０度ピッチで三つの取り付け孔１４、１４、１４が斜方向に穿設され、その内面には螺溝１４ａが各々刻設され、軸芯に対して放射状となるように形成され斜方向の角度は略４５度前後とすることが加えられる負荷の耐性、分散の面から好ましい。【選択図】図１
0003109090.tif 000002
【実用新案登録請求の範囲】
【請求項１】
止着用の複数の透孔をナット部の軸芯に対して斜方向とし、かつ、その透孔の内面には螺溝が形成されていることを特徴とするプレートナット。
【請求項２】
前記した複数の透孔はナット部の軸芯から略等距離の円周上に配置され、プレートの表面から裏面へ、プレートの外縁方向へ向かう斜方向とされていることを特徴とする請求項１に記載のプレートナット。
【請求項３】
前記した複数の透孔の斜方向はナット部の軸芯に対して略４５度とし、放射方向へ向けられていることを特徴とする請求項１または請求項２に記載のプレートナット。
【考案の詳細な説明】
【技術分野】
【０００１】
本考案はプレートナットの改良に関し、特に建築物、建造物の外壁近くに修理や改修作業用の足場を組む際に使用するプレートナットに関する。
【背景技術】
【０００２】
従来、既設の建築物、建造物の外装を修理、改修する際にその目的個所に対応させて足場が組まれ、作業者はその足場に乗った状態で作業を行なうこととなる。この足場は従前歩板が架設されることも多かったが近時は金属パイプを用い、その金属パイプを外壁面に固着させたクランプ金具等を使用して固定させることが通例となっている。
【０００３】
また、近時は外壁材として気泡を含んだ軽量のコンクリートパネルが使用されることも多くなり、このパネルにクランプ金具等を取り付ける場合、図３として示す如き構造とすることが多かった。
【０００４】
即ち、図３は従来のクランプ金具等の取り付け構造を示す図であり、図中１は外壁材、特に軽量のコンクリートパネルを示している。この軽量のコンクリートパネル１の外面にドリル等の穿孔具を用いて受穴２を形成し、この受穴２に受部材３を叩打等の方法によって密に嵌着させる。
【０００５】
前記した受部材３は全体を金属、プラスチック等の所定の弾性を保有した材料で成形されており、大径部３ａとその大径部３ａからテーパ部３ｂを介して先端となる細径部３cとより構成される円筒状のものとなっている。
【０００６】
また、前記した受部材３は大径部３ａの内面には螺溝が形成されており、大径部３ａの途中からテーパ部３ｂを通り、細径部３ｃの最先端まで一対のスリット３ｄが形成され、受部材３を収縮、拡開できるものとしている。さらに、大径部３ａの開口縁には叩打用及びストッパとなるフランジ３ｅが設けられ、テーパ部３ｂと細径部３ｃとの境部分には抜け止め用のフランジ３ｆが形成されている。３ｇは補強リブを示している。
【０００７】
この受部材３を前記した受穴２に嵌着させた後、クランプ金具４等のパイプ固定金具の先端に形成されてボルト部分を大径部３ａの内面の螺溝に合わせ螺合固着することとなる。
【特許文献１】本願考案に関して、出願人は先行する技術文献を調査したが、格別に関連すると思われる文献を発見することができなかった。
【考案の開示】
【考案が解決しようとする課題】
【０００８】
本考案が解決しようとする問題点は、従来の作業にあってはまずドリル等による穿孔作業、受部材３の打ち込み作業を必要とし、外壁等の修理や改修の作業後にはこの受部材３を引き抜き、残った受穴２を埋め、その表面に着色作業を行なわなければならない煩雑な手順、作業を必要とした点である。
【０００９】
加えて、外壁材が軽量のコンクリートパネル１等であると、受部材３の保持力が工程に強くなく、作業者が足場に乗ると、受部材３が受穴２内で負荷を受けて変形したり、動いたりしてしまい、嵌着状態が緩んでしまう危険性があったという点である。
【課題を解決するための手段】
【００１０】
上記した問題点を解決するために、本考案に係るプレートナットは止着用の複数の透孔をナット部の軸芯に対して斜方向とし、かつ、その透孔の内面には螺溝が形成されていることを特徴とし、前記した複数の透孔はナット部の軸芯から略等距離の円周上に配置され、プレートの表面から裏面へ、プレートの外縁方向へ向かう斜方向とされていることを特徴とし、前記した複数の透孔の斜方向はナット部の軸芯に対して略４５度とし、放射方向へ向けられていることを特徴としている。
【考案の効果】
【００１１】
本考案に係るプレートナットは上記のように構成されている。プレートナットは一般的に木材に対しリベット、釘等の固着要素を使用して取り付けられるものであるが、この構成としたことによって軽量のコンクリートパネル等の外壁材の表面にダイレクトにネジを用いて固着させてしまうことができることとなる。
【００１２】
また、その固着状態はネジが斜め方向、それもプレートの外縁方向へ向けて放射状に複数本がねじ込み、あるいは打ち込まれるため、ナット部に係る負荷が分散され、緩みが生じてしまう虞もないものとなっている。
【００１３】
さらには、このプレートナットを作業後に外した際に生じるネジによる穴は従前に比べてはるかに小さなものとなり、その修復作業も非常に容易なものとなるのである。
【考案を実施するための最良の形態】
【００１４】
実施例として示す図面のように構成することで実現した。
【実施例１】
【００１５】
次に、本考案の好ましい実施の一例を図１乃至図２を参照して説明する。図１は本考案に係るプレートナットの使用状態を示す断面図、図２は同じくプレートナットの平面図である。
【００１６】
この図１、図２にあって１０は本考案を実施したプレートナット本体を示している。このプレートナット本体１０は本実施例にあって、全体を金属によって成形された円板状のものとなっている。但し、この円板状の形態はこれに限定されるものではなく、矩形、楕円、菱形、その他任意の形状とすることができる。
【００１７】
このプレートナット本体１０の中央には平面略正方形とした立壁部１１が一体に形成されており、その立壁部１１の中心に底面まで貫通し、内面に螺溝が刻設されたナット部１２が形成されている。
【００１８】
また、このプレートナット本体１０のプレート部１３には、本実施例にあっては、ナット部１２の軸芯から等距離の円周上に１２０度ピッチで三つの取り付け孔１４、１４、１４が形成されている。この取り付け孔１４の数や位置はプレート部１３の形状等の要因によって自在に変更することができる。
【００１９】
前記した取り付け孔１４、１４、１４は図１で示す図２中のＡ−Ｂ線に沿った断面のとおりプレート部１３の表面から裏面にかけてそのプレート部１３の外周縁方向へ向かう斜方向に穿設され、その内面には螺溝１４ａが各々刻設されたものとなっている。
【００２０】
さらに、前記した取り付け孔１４、１４、１４の斜方向はナット部１２の軸芯に対して放射状となるように形成されている。この取り付け孔１４、１４、１４の斜方向の角度はそれ程厳格である必要はないが略４５度前後とすることが加えられる負荷の耐性、分散の面から好ましい。
【００２１】
本考案に係るプレートナット本体１０は上記のように構成されているもので、軽量のコンクリートパネル１等の外壁材の表面に、そのプレートナット本体１０の裏面（底面）を合わせ、取り付け孔１４、１４、１４から先端の尖ったネジ１５、１５‥を電動ドライバ等の工具を用いてねじ込み、そのネジ１５、１５‥をコンクリートパネル１にまで到達させ、プレートナット本体１０を固着する。
【００２２】
ネジ１５、１５‥は取り付け孔１４、１４、１４の穿孔方向に挿入されるため、止着状態で相互にネジ１５、１５‥は拡開した状態となる。プレートナット本体１０が固着されると、ナット部１２にクランプ金具４等のボルト部分が螺着され、このクランプ金具４等に足場用となるパイプが保持固定されることとなる。
【００２３】
このように、本考案に係るプレートナット本体１０を使用することによって、従前のような受部材３の存在は必要なく、その受部材３を嵌着させるための受穴２の穿孔作業も必要なくなる。また、本考案の実施ではコンクリートパネル１にはネジ１５、１５‥によるねじ込み穴が穿たれるのみで、その修復作業も非常に容易なものとなる。
【００２４】
この修復作業は穴開口を閉塞して着色することとなるが、場合によっては穴に再度ネジ１５、１５‥を入れ、そのネジ１５の頭面に着色すれば済むことともなり、係る場合、ネジ１５をプラスチック製のものを使用することもできる。
【００２５】
上記したように、本考案を実施することで対象物を支持する強度は大きく向上するうえ、装着、取り外しに関しての作業工程は著しく減少し、工事の費用や時間を節減することができるようになる。
【産業上の利用可能性】
【００２６】
本考案に係るプレートナットは上述のように構成され、使用される。本願では足場を組む際に使用する例を示したが、これにこだわらず、種々の産業分野にあって対象物を支持するため、連結するための構成部品として幅広く使用することが可能である。
【図面の簡単な説明】
【００２７】
【図１】本考案を実施したプレートナットの使用状態を示す断面図である。
【図２】プレートナットの平面図である。
【図３】従来例を示す図である。
【符号の説明】
【００２８】
１      コンクリートパネル
４      クランプ金具
１０    プレートナット本体
１１    立壁部
１２    ナット部
１３    プレート部
１４    取り付け孔
１４ａ  螺溝
１５    ネジ
【図１】
0003109090.tif 000003
【図２】
0003109090.tif 000004
【図３】
0003109090.tif 000005